【手続補正書】
【提出日】平成17年6月1日(2005.6.1)
【手続補正１】
【補正対象書類名】明細書
【補正対象項目名】特許請求の範囲
【補正方法】変更
【補正の内容】
【特許請求の範囲】
【請求項１】
動画像を構成するインターレース画像のフレーム毎に、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得手段と、
前記サブブロック取得手段により取得された前記サブブロックの符号量を算出する符号量算出手段と、
前記符号量算出手段により算出された符号量に基づいて前記サブブロック単位の動き量を推定するサブブロック動き量推定手段と、
を備える動き量推定装置。
【請求項２】
動画像を構成するインターレース画像のフレーム毎に、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得手段と、
前記サブブロック取得手段により取得された前記サブブロックの符号量を算出する符号量算出手段と、
前記符号量算出手段により算出された符号量に基づいて前記サブブロック単位の動き量を推定するサブブロック動き量推定手段と、
前記サブブロック動き量推定手段により推定された前記サブブロック単位の動き量に基づいてフレーム全体の動き量を推定するフレーム動き量推定手段と、
を備える動き量推定装置。
【請求項３】
前記サブブロック動き量推定手段は、
サブバンド１ＬＨ中の所定のサブブロックの符号量とサブバンド１ＨＬ中の所定のサブブロックの符号量とを比較して当該サブブロックにおける動き量を推定する請求項１または２記載の動き量推定装置。
【請求項４】
前記サブブロック動き量推定手段で符号量と比較するサブバンド１ＬＨ中のサブブロックとサブバンド１ＨＬ中のサブブロックとは、同じ位置に復号される位置関係にある請求項３記載の動き量推定装置。
【請求項５】
前記フレーム動き量推定手段は、
高周波サブバンドに含まれる全てのサブブロックについての前記サブブロック動き量推定手段によるサブバンド１ＬＨの符号量とサブバンド１ＨＬの符号量との比較結果の比率に応じてフレーム画像全体の動き量を推定する請求項２ないし４のいずれか一記載の動き量推定装置。
【請求項６】
前記符号量算出手段により算出される前記サブブロックの符号量は、ロスレス圧縮された符号量である請求項１ないし５のいずれか一記載の動き量推定装置。
【請求項７】
前記符号量算出手段により算出される前記サブブロックの符号量は、ビットトランケーション前の符号量である請求項１ないし６のいずれか一記載の動き量推定装置。
【請求項８】
動画像を構成するインターレース画像のフレーム毎に、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得機能と、
前記サブブロック取得機能により取得された前記サブブロックの符号量を算出する符号量算出機能と、
前記符号量算出機能により算出された符号量に基づいて前記サブブロック単位の動き量を  推定するサブブロック動き量推定機能と、
をコンピュータに実行させるコンピュータに読取り可能なプログラム。
【請求項９】
動画像を構成するインターレース画像のフレーム毎に、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得機能と、
前記サブブロック取得機能により取得された前記サブブロックの符号量を算出する符号量算出機能と、
前記符号量算出機能により算出された符号量に基づいて前記サブブロック単位の動き量を推定するサブブロック動き量推定機能と、
前記サブブロック動き量推定機能により推定された前記サブブロック単位の動き量に基づいてフレーム全体の動き量を推定するフレーム動き量推定機能と、
をコンピュータに実行させるコンピュータに読取り可能なプログラム。
【請求項１０】
前記サブブロック動き量推定機能は、
サブバンド１ＬＨ中の所定のサブブロックの符号量と、サブバンド１ＨＬ中の所定のサブブロックの符号量とを比較して、当該サブブロックにおける動き量を推定する請求項８または９記載のプログラム。
【請求項１１】
前記サブブロック動き量推定機能で符号量と比較するサブバンド１ＬＨ中のサブブロックとサブバンド１ＨＬ中のサブブロックとは、同じ位置に復号される位置関係にある請求項１０記載のプログラム。
【請求項１２】
前記フレーム動き量推定機能は、高周波サブバンドに含まれる全てのサブブロックについての前記サブブロック動き量推定機能によるサブバンド１ＬＨの符号量とサブバンド１ＨＬの符号量との比較結果の比率に応じてフレーム画像全体の動き量を推定する請求項９ないし１１のいずれか一記載のプログラム。
【請求項１３】
前記符号量算出機能により算出される前記サブブロックの符号量は、ロスレス圧縮された符号量である請求項８ないし１２のいずれか一記載のプログラム。
【請求項１４】
前記符号量算出機能により算出される前記サブブロックの符号量は、ビットトランケーション前の符号量である８ないし１３のいずれか一記載のプログラム。
【請求項１５】
請求項８ないし１４のいずれか一記載のプログラムを記憶している記憶媒体。
【請求項１６】
動画像を構成するインターレース画像のフレーム毎に、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得工程と、
前記サブブロック取得工程により取得された前記サブブロックの符号量を算出する符号量算出工程と、
前記符号量算出工程により算出された符号量に基づいて前記サブブロック単位の動き量を推定するサブブロック動き量推定工程と、
を含む動き量推定方法。
【請求項１７】
動画像を構成するインターレース画像のフレーム毎に、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得工程と、
前記サブブロック取得工程により取得された前記サブブロックの符号量を算出する符号量算出工程と、
前記符号量算出工程により算出された符号量に基づいて前記サブブロック単位の動き量を推定するサブブロック動き量推定工程と、
前記サブブロック動き量推定工程により推定された前記サブブロック単位の動き量に基づいてフレーム全体の動き量を推定するフレーム動き量推定工程と、
を含む動き量推定方法。
【請求項１８】
前記サブブロック動き量推定工程は、
サブバンド１ＬＨ中の所定のサブブロックの符号量と、サブバンド１ＨＬ中の所定のサブブロックの符号量とを比較して、当該サブブロックにおける動き量を推定する請求項１６または１７記載の動き量推定方法。
【請求項１９】
前記サブブロック動き量推定工程で符号量と比較するサブバンド１ＬＨ中のサブブロックとサブバンド１ＨＬ中のサブブロックとは、同じ位置に復号される位置関係にある請求項１８記載の動き量推定方法。
【請求項２０】
前記フレーム動き量推定工程は、
高周波サブバンドに含まれる全てのサブブロックについての前記サブブロック動き量推定工程によるサブバンド１ＬＨの符号量とサブバンド１ＨＬの符号量との比較結果の比率に応じてフレーム画像全体の動き量を推定する請求項１７ないし１９のいずれか一記載の動き量推定方法。
【請求項２１】
前記符号量算出工程により算出される前記サブブロックの符号量は、ロスレス圧縮された符号量である請求項１６ないし２０のいずれか一記載の動き量推定方法。
【請求項２２】
前記符号量算出工程により算出される前記サブブロックの符号量は、ビットトランケーション前の符号量である請求項１６ないし２１のいずれか一記載の動き量推定方法。
【手続補正２】
【補正対象書類名】明細書
【補正対象項目名】００１３
【補正方法】変更
【補正の内容】
【００１３】
【課題を解決するための手段】
請求項１記載の発明の動き量推定装置は、動画像を構成するインターレース画像のフレーム毎に、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得手段と、このサブブロック取得手段により取得された前記サブブロックの符号量を算出する符号量算出手段と、この符号量算出手段により算出された符号量に基づいて前記サブブロック単位の動き量を推定するサブブロック動き量推定手段と、を備える。
【手続補正３】
【補正対象書類名】明細書
【補正対象項目名】００１５
【補正方法】変更
【補正の内容】
【００１５】
請求項２記載の発明の動き量推定装置は、動画像を構成するインターレース画像のフレーム毎に、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得手段と、このサブブロック取得手段により取得された前記サブブロックの符号量を算出する符号量算出手段と、この符号量算出手段により算出された符号量に基づいて前記サブブロック単位の動き量を推定するサブブロック動き量推定手段と、このサブブロック動き量推定手段により推定された前記サブブロック単位の動き量に基づいてフレーム全体の動き量を推定するフレーム動き量推定手段と、を備える。
【手続補正４】
【補正対象書類名】明細書
【補正対象項目名】００２７
【補正方法】変更
【補正の内容】
【００２７】
請求項８記載の発明のコンピュータに読取り可能なプログラムは、動画像を構成するインターレース画像のフレーム毎に１、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得機能と、このサブブロック取得機能により取得された前記サブブロックの符号量を算出する符号量算出機能と、この符号量算出機能により算出された符号量に基づいて前記サブブロック単位の動き量を推定するサブブロック動き量推定機能と、をコンピュータに実行させる。
【手続補正５】
【補正対象書類名】明細書
【補正対象項目名】００２９
【補正方法】変更
【補正の内容】
【００２９】
請求項９記載の発明のコンピュータに読取り可能なプログラムは、動画像を構成するインターレース画像のフレーム毎に、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得機能と、このサブブロック取得機能により取得された前記サブブロックの符号量を算出する符号量算出機能と、この符号量算出機能により算出された符号量に基づいて前記サブブロック単位の動き量を推定するサブブロック動き量推定機能と、このサブブロック動き量推定機能により推定された前記サブブロック単位の動き量に基づいてフレーム全体の動き量を推定するフレーム動き量推定機能と、をコンピュータに実行させる。
【手続補正６】
【補正対象書類名】明細書
【補正対象項目名】００４３
【補正方法】変更
【補正の内容】
【００４３】
請求項１６記載の発明の動き量推定方法は、動画像を構成するインターレース画像のフレーム毎に、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得工程と、このサブブロック取得工程により取得された前記サブブロックの符号量を算出する符号量算出工程と、この符号量算出工程により算出された符号量に基づいて前記サブブロック単位の動き量を推定するサブブロック動き量推定工程と、を含む。
【手続補正７】
【補正対象書類名】明細書
【補正対象項目名】００４５
【補正方法】変更
【補正の内容】
【００４５】
請求項１７記載の発明の動き量推定方法は、動画像を構成するインターレース画像のフレーム毎に、少なくとも１以上のブロックに分割し当該ブロック毎に画素値を離散ウェーブレット変換することで階層的に圧縮符号化された符号列データから、高周波サブバンドに含まれるサブブロックを前記ブロック単位で取得するサブブロック取得工程と、このサブブロック取得工程により取得された前記サブブロックの符号量を算出する符号量算出工程と、この符号量算出工程により算出された符号量に基づいて前記サブブロック単位の動き量を推定するサブブロック動き量推定工程と、このサブブロック動き量推定工程により推定された前記サブブロック単位の動き量に基づいてフレーム全体の動き量を推定するフレーム動き量推定工程と、を含む。